(57)【要約】      （修正有）【課題】就寝ベッドの脚部は、患者が水平の位置で起伏を繰り返す構造であり、不自然な姿勢とならず、楽な姿勢で疲労の少ないベッドを提供する。【解決手段】既存のベットは水平な位置の自分の足が邪魔になりすぐに疲れてしまう、脚部を水平ではなく椅子状に下がる構造にすれば、邪魔になることは無くなる。脚部を下げる動力源を背中の起伏用モーターと兼用した構造としたことで、起伏用モーターが作動して座椅子が起伏する個所と脚部が起伏する個所をテコで連結し、各々のテコ１が屈曲する個所は関節構造２とする。ベッドは椅子状になったり、就寝のベッドになったりするので患者が不自然な姿勢で疲労するなどということは全くない。【選択図】図２
2015073882.tif 000002
【特許請求の範囲】
【請求項１】
本願は、高架式ベッドの脚部を変革させて椅子状にすることにより、リラックスになり患者が疲労しない姿勢になることを特徴とした発明である。既存のベッドは背中部と膝部が起伏するというベッドがある。背中部が起伏する構造は患者においてはありがたい構造である。しかし、同時に膝部が持ち上がり起伏する装置はベッドが水平の位置で繰り返しているだけであるので、不自然の姿勢のために自分の足が邪魔になりすぐに疲れてしまう。このようあまり理屈に合わない症状を解消するには、脚部を水平ではなく脚部を椅子状にして脚部を下がる構造にすれば、足が邪魔になるなどは全くないという方程式が成り立つことになる。そこで脚部を下がる構造にするには、脚の部位が起伏する単独の正逆両用減速ギヤーモーターを用いても良いが、背中部が起伏するモーターと兼用すれば製造コストが安い。脚部を変革するには、▲１▼チェーンとスプロケットとピロブロックの組み合わせ、▲２▼ワイヤーと滑車の組み合わせ、▲３▼テコの原理の組み合わせが考えられるので、上記３点の試作を試みたが、▲１▼と▲２▼は既存の背中部を起伏するモーターと兼用することは構造上難しく、脚専用の正逆両用減速ギヤーモーターを用いれば対応出来ることが理解できた。次に▲３▼のテコの組み合わせの製作を試みた、このテコの原理であれば背中部が起伏するモーターと兼用しても脚部が変革できるということが理解できたので、テコの原理を応用して製作した写真を図面として提示します。すなわち写真でも理解できると思われるが、起伏モーターが作動して、背中のベッドが起きて座椅子になる個所と脚部が起伏する個所をテコで連結し、各々連結しているテコの屈曲する個所を関節構造とする。そのような構造原理にすれば、図１、図２、図３、（各々の写真）で示すように、スイッチ操作により就寝用のベッドになったり、椅子状になったりして腰をかけて足を床上に下げることができ、リラックスな姿勢になれるので患者は疲労することはないということを最大の特徴とした装置を「高架式ベッド椅子状変革装置」と命名して、本日ここに発表する。
【発明の詳細な説明】
【技術分野】
【０００１】本発明は、患者が使用する高架式ベッドの脚部が椅子状になり変革して疲労のしないリラックスな姿勢となることを最大の特徴とした発明であり以下にわたって説明する。既存のベッドの角度調整ができるのは、背中の位置を起伏し、脚部を起伏するベッドがある。  背中を起伏する構造は極めて重宝で都合が良い。しかし脚部の関節部分が持ち上がる構造はあまり芳しくはない。なぜならば脚部はベッドの水平な位置で足の膝を持ち上げるだけである。従って背中が起きて足元が水平のままで膝の持ち上がりを繰り返す構造であるから不自然な体勢であり時間が経つにつれ足が邪魔になってしまい疲労感が増すばかりである。人間が疲労感を感じることのない姿勢は、椅子に腰をかけている体勢なのです。まして寝たきりの患者や老人などは、ベッドは生活の場であるから常に快適な状態でなければならない。そこで水平になっているベッドを椅子状に変化させるには、モーターで起伏する背中をおこすベッドは既存しているから、次は脚部をさげる構造にすれば良いのである。脚部を下げる構造にするにはどのようにするべきかと日夜研究した。要するに背中が起きて脚部が床に下がれば椅子になるには、以下の構造しかないという結論に達した。▲１▼チェーンとスプロケット並びにピロブロックを組み合わせる、▲２▼ワイヤーと滑車を組み合わせる、▲３▼テコの原理を応用、このような構造であれば脚部はまちがいなく下降して椅子状になるという結論に至ったので上記３点の製作を試みた。コスト面から勘案し現在の背中を起伏に用いているモーターを兼用するのがベストであると判断し、▲１▼のチェーンとスプロケットとピロブロックを組み合わせて椅子状にしてみたが、肝心の兼用するモーター構造を改良してするか、または脚専用の正逆兼用減速ギヤーモーターの設置が必要である。次に▲２▼のワイヤーと滑車組み合わせた脚部を椅子状になるように試作してみた。しかし肝心のモーターが力不足でワイヤーを用いる場合は兼用モーターを出力アップするか又は▲１▼の場合同様脚専用の新規の正逆兼用減速ギヤーモーターを設置すれば問題はない。次に▲３▼のテコの応用で背中を起伏するモーターの兼用を試みた。このテコの応用であればスムーズに脚が作動することが理解できたので図面に、テコを応用して製作した写真を添付したので理解していただきたい。つまり▲１▼、▲２▼の構造でも脚部を変革出来ることは理解できるが、モーターの出力アップが必要で製造コストが高くなるという欠点は免れ無い。テコの応用であれば背中の起伏するモーターと兼用して脚部を変革できるということは構造が簡単であるから故障もなく電気消費量の少ないので低コストである。以上のようにスイッチ操作により、就寝用のベッドが脚部の位置が下降して椅子になったり、就寝のベッドになったりする変革装置を製作した平面写真と、側面写真を図面として提示しましたので理解していただきたい。以上のような構造原理のした「高架式ベッド椅子状変革装置」本日ここに発表する。
【背景技術】
【０００２】
【先行技術文献】
【０００３】
【発明の概要】
【発明が解決しようとする課題】
【０００４】患者が就寝に用いているベッドの脚部は水平の位置で膝を持ち上げるだけである。この為不自然な姿勢なので足が邪魔になり足のやり場がなくすぐに疲れてしまう、このようにすぐに疲れてしまうベッドではなく、自然な姿勢でリラックスで疲労することのないベッドの開発が強く望まれていた。
【問題を解決するための手段】
【０００５】上記の課題を解消するには、ベッドの背中部が起伏する電動モーターと連動して脚部がベッド下へ下降しり上昇するようにし、電動式で椅子になったりベッドになったりの構造原理とする。
【０００６】上記解決手段により今までの疲労するベッドから、疲労しないベッドに解消することができる。
【発明の効果】
【０００７】前述のように、患者が使用する高架式ベッドの脚部が上下に変革することを特徴とした発明である。現在既存のベッドは、電気モーターを作動させて背中の部位を起伏させ脚の位置を水平の位置で起伏するというベッドが実在している。背中の部位を起伏するということは誠に結構なシステムである。しかし脚部を起伏するという構造はベッドが水平の場所で膝を起伏をするだけであるから患者の体制は不自然な姿勢であるからすぐに足が重くなり疲れてしまう。人間が疲れない姿勢とは、椅子に腰をかけているように脚をしたに下げた姿勢である。既存のベッドの脚部は水平の位置で脚部を起伏しただけでは疲れるばかりである。そこで既存の背中が起伏するモーターを活用して脚部をテコの原理を応用して背中部と脚部をテコの原理で連結し、背中部が起きれば脚部のテコが引っ張るので下降してソファー状の椅子になり、背中部が水平になるようにスイッチ操作をすれば、背中部は水平になり脚部は背中部と連結しているテコが脚部を押しあげ脚部も水平になり就寝することができるベッドになるという「高架式ベッド椅子状変革装置」を本日ここに発表する。
【図面の簡単な説明】
【０００８】
【図１】図１、起伏モーターを作動させ、背中部を起きてテコが連動している脚部が下がりベッド上で椅子状になっていることを示した平面写真。
【図２】図２、起伏モーターが作動させ、背中部を起きてテコが連動している脚部が下がりベッド上で椅子状なっていることを示した側面写真。
【図３】図３、起伏モーターを作動させ、背中部水平になりテコが連動している脚部が上昇し、ベッド全体が水平になったことを示した側面写真。
【符号の説明】
【０００９】  （１）はテコ、（２）は関節部
【選択図】
図２、図３、
【図１】
2015073882.tif 000003
【図２】
2015073882.tif 000004
【図３】
2015073882.tif 000005